(57)【要約】【課題】  火事が発生した際、超高層ビルから脱出するための上着式落下傘を提供する。【解決手段】  上着と傘体とを有し、該上着の後部に傘体を収容するため開口を有する収容部が形成され、開口に締め部材が設けられ、該上着の両側に安全ベルトが縫着されると共に、該安全ベルトの自由端にロック部材が設けられ、傘体の周縁と収容部の内側との間に複数の吊索が設けられることを特徴とする。【選択図】  図３
0003105209.tif 000002
【実用新案登録請求の範囲】
【請求項１】
上着と傘体とを有し、該上着の後部に傘体を収容するため開口を有する収容部が形成され、開口に締め部材が設けられ、該上着の両側に安全ベルトが縫着されると共に、該安全ベルトの自由端にロック部材が設けられ、傘体の周縁と収容部の内側との間に複数の吊索が設けられることを特徴とする上着式落下傘。
【請求項２】
前記締め部材はスライドファスナーであることを特徴とする請求項１に記載の上着式落下傘。
【請求項３】
前記ロック部材はバックルであることを特徴とする請求項１又は請求項２に記載の上着式落下傘。
【請求項４】
前記吊索は四本であることを特徴とする請求項３に記載の上着式落下傘。
【請求項５】
前記傘体のサイズは２００ｃｍ×１６０ｃｍであり、吊索の長さは１８０ｃｍであることを特徴とする請求項４に記載の上着式落下傘。
【請求項６】
前記吊索は六本であることを特徴とする請求項３に記載の上着式落下傘。
【請求項７】
前記傘体のサイズは２００ｃｍ×１６０ｃｍであり、吊索の長さは１８０ｃｍであることを特徴とする請求項６に記載の上着式落下傘。
【考案の詳細な説明】
【技術分野】
【０００１】
本考案は、特に火事が発生した際に、超高層ビルから脱出するための上着式落下傘に関するものである。
【背景技術】
【０００２】
超高層ビルで火事を発生した場合、火事現場から脱出できないことにより、大事な命を失う人が多い。現在、超高層ビルは、増える一方にあるが、消火用消防自動車におけるタワーラダーの高さは２５階までしかないので、２５階以上の超高層ビルで火事が発生すると、消火行動を行うことができない。従って、超高層ビルで火事が発生した際は、ヘリコプターに頼って消火を行うしかない。
【考案の開示】
【考案が解決しようとする課題】
【０００３】
しかしながら、火事が発生してから、ヘリコプターが来るまで時間がかかるので、短時間で火事現場にいる人々を救出することができなく、又、ヘリコプターは乗員制限を有するので、火事現場にいる人々を一回で全員救出することができない。
【０００４】
そこで、案出されたのが本考案であって、火事が発生した際、超高層ビルから脱出するための上着式落下傘を提供することを目的としている。
【課題を解決するための手段】
【０００５】
本願の請求項１の考案は、上着と傘体とを有し、該上着の後部に傘体を収容するため開口を有する収容部が形成され、開口に締め部材が設けられ、該上着の両側に安全ベルトが縫着されると共に、該安全ベルトの自由端にロック部材が設けられ、傘体の周縁と収容部の内側との間に複数の吊索が設けられることを特徴とする上着式落下傘及び、
本願の請求項２の考案は、前記締め部材はスライドファスナーであることを特徴とする請求項１に記載の上着式落下傘及び、
本願の請求項３の考案は、前記ロック部材はバックルであることを特徴とする請求項１又は請求項２に記載の上着式落下傘及び、
本願の請求項４の考案は、前記吊索は四本であることを特徴とする請求項３に記載の上着式落下傘及び、
本願の請求項５の考案は、前記傘体のサイズは２００ｃｍ×１６０ｃｍであり、吊索の長さは１８０ｃｍであることを特徴とする請求項４に記載の上着式落下傘及び、
本願の請求項６の考案は、前記吊索は六本であることを特徴とする請求項３に記載の上着式落下傘及び、
本願の請求項７の考案は、前記傘体のサイズは２００ｃｍ×１６０ｃｍであり、吊索の長さは１８０ｃｍであることを特徴とする請求項６に記載の上着式落下傘、を提供する。
【考案の効果】
【０００６】
本考案は、上記の課題を解決するものであり、上着の収容部に落下傘のように傘体が設けられることにより、火事が発生した際、火事現場にいる人々が短時間で超高層ビルから脱出することができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係る上着式落下傘を装備する状態を示す側面図であり、図２は本考案に係る上着式落下傘のロック部材を示す斜視図であり、図３は本考案に係る上着式落下傘の第一実施例の使用状態を示す参考図であり、図４は本考案に係る上着式落下傘の第一実施例を使用し、超高層ビルから跳び出す状態を示す参考図であり、図５は本考案に係る上着式落下傘の第二実施例を使用し、超高層ビルから跳び出す状態を示す参考図である。
【０００９】
図１乃至図３に示すように、本考案に係る上着式落下傘の第一実施例は、ジャケットのような上着（１０）と傘体（２０）とを有し、該上着（１０）の後部に傘体（２０）を収容するため開口を有する収容部（１１）が形成され、開口にスライドファスナーなどの締め部材（１２）が設けられ、該上着（１０）の両側に安全ベルト（１３）（１４）が縫着されると共に、該安全ベルト（１３）（１４）の縫着部分の反対側の端部である自由端に、バックルなどのロック部材（１５）（１６）が設けられる。
【００１０】
前記傘体（２０）の周縁と収容部（１１）の内側との間に複数の吊索（３０）が設けられ、本実施例では、四本の吊索（３０）が設けられる。
【００１１】
又、前記傘体（２０）のサイズは２００ｃｍ×１６０ｃｍであり、吊索（３０）の長さは１８０ｃｍである。本考案に用いられる傘体（２０）と吊索（３０）は、普通の落下傘より小さいので、使用中、他の建物に接触する危険を防止できる。
【００１２】
図１乃至図４に示すように、超高層ビルで火事が発生した場合、ビルの屋上にいる人々が、本考案の上着（１０）を着た後、安全ベルト（１３）（１４）をロック部材（１５）（１６）に固定して、傘体（２０）を収容部（１１）から取出し、該傘体（２０）を頭上に持つままビルから飛び出すと共に、傘体（２０）が自動的に開くことにより、使用者は火事現場から脱出することができる。
【００１３】
図５に示すように、本考案に係る上着式落下傘の第二実施例は、前記第一実施例と殆ど等しく、異なるのは傘体（４０）と上着（６０）における収容部（６１）の内側との間に六本の吊索（５０）が設けられることにより、体重がより重い人又は安全感が欲しい人に使用することができる。
【産業上の利用可能性】
【００１４】
本考案は上記の構成を有するので、上着の収容部に落下傘のように傘体が設けられることにより、火事が発生した際、火事現場にいる人々が短時間で超高層ビルから脱出することができる。
【図面の簡単な説明】
【００１５】
【図１】本考案に係る上着式落下傘を装備する状態を示す側面図である。
【図２】本考案に係る上着式落下傘のロック部材を示す斜視図である。
【図３】本考案に係る上着式落下傘の第一実施例の使用状態を示す参考図である。
【図４】本考案に係る上着式落下傘の第一実施例を使用し、超高層ビルから跳び出す状態を示す参考図である。
【図５】本考案に係る上着式落下傘の第二実施例を使用し、超高層ビルから跳び出す状態を示す参考図である。
【符号の説明】
【００１６】
１０  上着
１１  収容部
１２  締め部材
１３  安全ベルト
１４  安全ベルト
１５  ロック部材
１６  ロック部材
２０  傘体
３０  吊索
４０  傘体
５０  吊索
６０  上着
６１  収容部
【図１】
0003105209.tif 000003
【図２】
0003105209.tif 000004
【図３】
0003105209.tif 000005
【図４】
0003105209.tif 000006
【図５】
0003105209.tif 000007